(57)【要約】【課題】電磁絞りが非対応なカメラボディに電磁絞りを内蔵したアクセサリが装着されたときにも絞り動作を行う。【解決手段】交換レンズ１は、Ｓ１信号やＳ２信号などのレリーズ信号をカメラボディ２へ出力するためのレリーズ接続端子１３と、それらのレリーズ信号を受信したとき絞り開口を電動で調整する電磁絞り機構１１と、電磁絞り機構１１に対応しているカメラボディと電磁絞り機構１１に対応していないカメラボディ２とを着脱可能に装着できるマウント部１８と、レリーズ接続端子１３から受信したレリーズ信号を、マウント部１８に取り付けられたカメラボディ２へ中継ケーブル４を介して送信するカメラ接続端子１４とを備えるアクセサリである。【選択図】図１
2013221969.tif 000002
【特許請求の範囲】
【請求項１】
レリーズ信号をカメラボディへ出力するためのレリーズ装置が接続され、前記レリーズ装置から前記レリーズ信号を受信する第１電気接点と、
前記レリーズ信号を受信したとき絞り開口を電動で調整する電磁絞り手段と、
前記電磁絞り手段に対応している第１のカメラボディと前記電磁絞り手段に対応していない第２のカメラボディとを着脱可能に装着できる取り付け手段と、
前記第１電気接点から受信した前記レリーズ信号を、前記取り付け手段に取り付けられた前記第２のカメラボディへ外部ケーブルを介して送信する第２電気接点と、
を備えることを特徴とするアクセサリ。
【請求項２】
請求項１に記載のアクセサリにおいて、
前記第１電気接点を介して前記レリーズ信号を受信してから遅延時間後に前記第２電気接点を介して前記レリーズ信号を送信する遅延制御手段をさらに備えることを特徴とするアクセサリ。
【請求項３】
請求項２に記載のアクセサリにおいて、
前記絞り開口の大きさを設定する設定手段をさらに備え、
前記遅延制御手段は、前記設定手段により設定された前記絞り開口の大きさに基づいて前記遅延時間を設定することを特徴とするアクセサリ。
【請求項４】
請求項１から３のいずれか一項に記載のアクセサリを内蔵する交換レンズ。
【請求項５】
電磁絞り機構を有する交換レンズが前記電磁絞り機構に対応しないカメラボディに着脱可能に装着されたカメラシステムのためのレリーズ装置であって、
レリーズ信号を生成するレリーズ信号生成手段と、
前記交換レンズに前記レリーズ信号生成手段が生成した前記レリーズ信号を送信するレンズ送信手段と、
前記カメラボディに前記レリーズ信号生成手段が生成した前記レリーズ信号を送信するカメラ送信手段と、
を備えることを特徴とするレリーズ装置。
【請求項６】
請求項５に記載のレリーズ装置において、
前記レリーズ信号を前記レンズ送信手段に送信させてから所定の遅延時間後に前記カメラ送信手段に前記レリーズ信号を送信させる遅延制御手段をさらに備えることを特徴とするレリーズ装置。
【請求項７】
請求項６に記載のレリーズ装置において、
前記電磁絞り機構の絞り開口の大きさを設定する設定手段をさらに備え、
前記遅延制御手段は、前記設定手段により設定された前記絞り開口の大きさに基づいて前記遅延時間を設定することを特徴とするレリーズ装置。
【発明の詳細な説明】
【技術分野】
【０００１】
本発明はアクセサリと、そのアクセサリを内蔵する交換レンズと、レリーズ装置に関する。
【背景技術】
【０００２】
カメラボディに絞り駆動レバーが搭載され、その絞り駆動レバーの動作に機械的に連動して交換レンズの絞り部材が駆動されるカメラシステムが知られている（たとえば、特許文献１）。一方で、カメラボディからの電気信号に基づいて、交換レンズがそれに内蔵する電磁絞り機構により絞り部材を電動駆動するカメラシステムも知られている（たとえば、特許文献２）。
【先行技術文献】
【特許文献】
【０００３】
【特許文献１】特開平８−７６１７１号公報
【特許文献２】特開２００６−７２００６号公報
【発明の概要】
【発明が解決しようとする課題】
【０００４】
電磁絞りが非対応なカメラボディに電磁絞りを内蔵した交換レンズが装着されたとき、絞り動作を行うことができなかった。
【課題を解決するための手段】
【０００５】
本発明の一態様によるアクセサリは、レリーズ信号をカメラボディへ出力するためのレリーズ装置が接続され、レリーズ装置からレリーズ信号を受信する第１電気接点と、レリーズ信号を受信したとき絞り開口を電動で調整する電磁絞り手段と、電磁絞り手段に対応している第１のカメラボディと電磁絞り手段に対応していない第２のカメラボディとを着脱可能に装着できる取り付け手段と、第１電気接点から受信したレリーズ信号を、取り付け手段に取り付けられた第２のカメラボディへ外部ケーブルを介して送信する第２電気接点と、を備えることを特徴とする。
本発明の別の一態様によるレリーズ装置は、電磁絞り機構を有する交換レンズが電磁絞り機構に対応しないカメラボディに着脱可能に装着されたカメラシステムのためのレリーズ装置であって、レリーズ信号を生成するレリーズ信号生成手段と、交換レンズにレリーズ信号生成手段が生成したレリーズ信号を送信するレンズ送信手段と、カメラボディにレリーズ信号生成手段が生成したレリーズ信号を送信するカメラ送信手段と、を備えることを特徴とする。
【発明の効果】
【０００６】
本発明によれば、電磁絞りが非対応なカメラボディに電磁絞りを搭載した交換レンズが装着された場合であっても、交換レンズにレリーズ操作に応じた絞り動作を実行させることができる。
【図面の簡単な説明】
【０００７】
【図１】本発明の第１の実施の形態によるアクセサリを含むレンズ交換式のデジタルカメラシステムの（ａ）概略斜視図と（ｂ）概略側面図である。
【図２】本発明の第１の実施の形態で用いるレリーズ装置の他の接続方法を示す図である。
【図３】本発明の第１の実施の形態によるアクセサリの他の装着方法を示す図である。
【図４】本発明の第１の実施の形態によるアクセサリ内の電気回路の一部を例示する概略回路図である。
【図５】本発明の第１の実施の形態におけるレリーズ操作時のタイミングチャートである。
【図６】本発明の第２の実施の形態によるアクセサリを含むレンズ交換式のデジタルカメラシステムの（ａ）概略斜視図と（ｂ）概略側面図である。
【図７】本発明の第２の実施の形態によるアクセサリ内の電気回路の一部を例示する概略回路図である。
【図８】本発明の第２の実施の形態によるアクセサリに接続される交換レンズ内の電気回路の一部を例示する概略回路図である。
【図９】本発明の第２の実施の形態にレリーズ装置時のタイミングチャートである。
【図１０】本発明の第３の実施の形態によるレリーズ装置を含むレンズ交換式のデジタルカメラシステムの概略斜視図である。
【図１１】本発明の第３の実施の形態によるレリーズ装置内の電気回路の一部を例示する概略回路図である。
【図１２】本発明の第３の実施の形態におけるレリーズ操作時のタイミングチャートである。
【図１３】本発明の第４の実施の形態によるアクセサリを含むレンズ交換式のデジタルカメラシステムの概略斜視図である。
【図１４】電磁絞り機構の絞り開口の大きさを決定する処理に関するフローチャートである。
【発明を実施するための形態】
【０００８】
（第１の実施の形態）
図１（ａ）は、本発明の第１の実施の形態によるアクセサリを含むレンズ交換式のデジタルカメラシステムの概略斜視図である。図１（ａ）に例示されるデジタルカメラシステム１００は、交換レンズ１とカメラボディ２とレリーズ装置３と中継ケーブル４とを有する。交換レンズ１は、カメラボディ２に着脱可能に装着される。レリーズ装置３は、その接続ケーブル３１が交換レンズ１のレリーズ接続端子１３に着脱可能に装着される。中継ケーブル４は、交換レンズ１のカメラ接続端子１４とカメラボディ２のレリーズ接続端子２１との間に着脱可能に装着される。図１（ａ）は、交換レンズ１がカメラボディ２に装着され、レリーズ装置３の接続ケーブル３１がレリーズ接続端子１３に装着され、中継ケーブル４がカメラ接続端子１４とレリーズ接続端子２１との間に挿入された状態を示している。
【０００９】
交換レンズ１は、アクセサリの一種であると同時にレンズ鏡筒内に電磁絞り機構１１を有するアクセサリを内蔵する。電磁絞り機構１１は、所定の電気信号を入力されると、絞り羽根（図１（ａ）および（ｂ）では不図示）を電動駆動して絞り開口の大きさを調整する。電磁絞り機構１１は、絞り開口の大きさを調整することにより、交換レンズ１を通過してカメラボディ２に入射する光量を調整する。電磁絞り機構１１は、絞り開口を開放状態から小絞り状態まで変化させることができる。
【００１０】
交換レンズ１は、そのレンズ鏡筒の側面に絞り設定部材１２とレリーズ接続端子１３とカメラ接続端子１４とを備える。絞り設定部材１２は、電磁絞り機構１１の絞り開口の大きさを撮影者が手動で設定するための操作部材である。電磁絞り機構１１は、絞り設定部材１２が設定した絞り開口の大きさになるように絞り羽根を電動駆動する。
【００１１】
カメラボディ２は、交換レンズ１の電磁絞り機構１１に対応していないカメラボディである。カメラボディ２は、レリーズ接続端子２１とレリーズスイッチ２２とを備える。図１（ａ）ではレリーズ接続端子２１に中継ケーブル４が接続されているが、レリーズ接続端子２１は、本来、図２に示すようにレリーズ装置３の接続ケーブル３１を着脱可能に装着するための接続端子である。
【００１２】
図２は、カメラボディ２に電磁絞り機構１１を搭載しない交換レンズ１０００が着脱可能に装着された状態を示す。カメラボディ２は、元々、図２に示すように電磁絞り機構１１を搭載しない交換レンズ１０００とともに利用される。
【００１３】
レリーズスイッチ２２は、撮影者が被写体像を撮像する際にレリーズ操作するための操作部材である。レリーズスイッチ２２は、半押しレリーズ操作と全押しレリーズ操作との２段階のレリーズ操作を受け付ける。
【００１４】
図１（ｂ）は、交換レンズ１とカメラボディ２の概略側面図である。図１（ｂ）に図示された交換レンズ１のマウント部１８には、カメラボディ２のマウント部２３が装着されている。交換レンズ１は、マウント部１８の近傍に電気接点１９ａ，１９ｂなどの複数の電気接点を有する。カメラボディ２は、交換レンズ１装着時に電気接点１９ａ，１９ｂにそれぞれ電気的に接続される電気接点２４ａ，２４ｂを有する。カメラボディ２の電気接点２４ａは、電気接点１９ａを介してカメラボディ２から交換レンズ１へロジック系電源を供給するための接点である。電気接点２４ｂは、電気接点１９ｂを介してカメラボディ２から交換レンズ１へ駆動系電源を供給するための接点である。交換レンズ１とカメラボディ２との間には、図示されたもの以外にも種々の信号用の電気接点による電気的接続が存在する。しかし、カメラボディ２は、いずれの信号用の電気接点を用いても交換レンズ１の電磁絞り機構１１の動作を開始させるための電気信号を交換レンズ１へ送信することはできない。
【００１５】
ロジック系電源は、交換レンズ１やカメラボディ２の内部に備わるＣＰＵ等に給電され、電磁絞り機構１１やフォーカスレンズ駆動部（図１では不図示）などの駆動系には給電されない。撮影者が半押しレリーズ操作または全押しレリーズ操作を行うと、カメラボディ２は、交換レンズ１へ駆動系電源の供給を開始する。この駆動系電源は、電磁絞り機構１１やフォーカスレンズ駆動部などの駆動系に給電される。
【００１６】
レリーズ装置３は、接続ケーブル３１と外部レリーズスイッチ３２とを有する。レリーズ装置３は、図２に示すように接続ケーブル３１をレリーズ接続端子２１に接続してカメラボディ２を遠隔操作するための操作部材である。図１（ａ）では、電磁絞り機構１１を備える交換レンズ１と、電磁絞り機構１１に対応していないカメラボディ２との連携のために交換レンズ１および中継ケーブル４を介してレリーズ接続端子２１に接続している。
【００１７】
外部レリーズスイッチ３２は、レリーズスイッチ２２と同様に半押しレリーズ操作と全押しレリーズ操作との２段階のレリーズ操作を受け付ける。撮影者が外部レリーズスイッチ３２を半押しレリーズ操作すると、接続ケーブル３１を介してＳ１信号が出力される。撮影者が外部レリーズスイッチ３２を全押しレリーズ操作すると、接続ケーブル３１を介してＳ１信号とＳ２信号が出力される。このＳ２信号は、前述した電磁絞り機構１１を動作させるための所定の電気信号の一つである。
【００１８】
交換レンズ１は、レリーズ接続端子１３からＳ１信号が入力されると、シングルＡＦモードのオートフォーカス処理の実行を開始すると共に、Ｓ１信号をカメラ接続端子１４へスルー出力する。そしてＳ１信号は、中継ケーブル４を経由してレリーズ接続端子２１へ出力される。カメラボディ２は、レリーズ接続端子２１へＳ１信号が入力されると、レリーズスイッチ２２が半押しレリーズ操作されたときと同様の動作を行う。たとえば、交換レンズ１へ電源を供給する。
【００１９】
交換レンズ１は、レリーズ接続端子１３からＳ２信号が入力されると、絞り開口の大きさが絞り設定部材１２により設定された大きさになるまで電磁絞り機構１１が動作する。また、交換レンズ１は、レリーズ接続端子１３から入力されたＳ２信号を、カメラ接続端子１４へ遅延時間Ｄ１だけ遅延させて出力する。Ｓ２信号の遅延には、たとえば公知の遅延回路等を利用すればよい。
【００２０】
なお、交換レンズ１は、図３に示されているように、マウント部１８を用いて、電磁絞り機構１１に対応しているカメラボディ１００１に着脱可能に装着できる。この場合、レリーズ操作に応じた絞り動作を交換レンズ１に実行させるためにレリーズ装置３や中継ケーブル４は不要である。なお、手振れの防止などの用途のためにレリーズ装置３を使用することは可能である。
また、カメラボディ１００１は、電磁絞り機構１１の絞り開口の大きさを指定する絞り設定信号を信号用の電気接点を用いて送信し、通常の撮影シーケンスで作動させることができる。
【００２１】
図４は、交換レンズ１内の電気回路の一部を例示する概略回路図である。図４には、電磁絞り機構１１と絞り設定部材１２とレリーズ接続端子１３とカメラ接続端子１４と伝送部１５とレンズ側制御部１６とフォーカスレンズ駆動部１７とフォーカスレンズ１７ａと電気接点１９ａと電気接点１９ｂとが図示されている。
【００２２】
伝送部１５は、レリーズ接続端子１３から入力された電気信号をカメラ接続端子１４へ出力する。伝送部１５は、遅延回路１５ａを有し、レリーズ接続端子１３から入力された電気信号に対して、その電気信号に応じた遅延時間だけ遅延させてカメラ接続端子１４へ出力することができる。
伝送部１５は、レリーズ接続端子１３からＳ１信号が入力されると、遅延なくＳ１信号をカメラ接続端子１４へ出力する。
一方、伝送部１５は、レリーズ接続端子１３からＳ２信号が入力されると、遅延時間Ｄ１だけ遅延させた後にカメラ接続端子１４へのＳ２信号の出力を開始する。
【００２３】
レンズ側制御部１６は、不図示のＣＰＵ、ＲＯＭ、ＲＡＭなどを備え、電磁絞り機構１１、伝送部１５、フォーカスレンズ駆動部１７など、交換レンズ１の各部の制御を行う。レンズ側制御部１６には絞り設定部材１２が接続されており、設定された絞り開口の大きさがレンズ側制御部１６に入力される。
【００２４】
電気接点１９ａは、交換レンズ１がカメラボディ２に装着されたときにカメラボディ２の電気接点２４ａ（図１（ｂ）参照）と電気的に接続されて、ロジック系電源が入力される。このロジック系電源は、レンズ側制御部１６へ供給される。
電気接点１９ｂは、交換レンズ１がカメラボディ２に装着されたときにカメラボディ２の電気接点２４ｂ（図１（ｂ）参照）と電気的に接続されて、駆動系電源が入力される。
【００２５】
フォーカスレンズ駆動部１７は、カメラボディ２から電気接点１９ｂを介して駆動系電源が供給されたとき、レンズ側制御部１６の制御のもとフォーカスレンズ１７ａを駆動する。デジタルカメラシステム１００がオートフォーカス動作を行うとき、レンズ側制御部１６は、フォーカスレンズ駆動部１７を制御してフォーカスレンズ１７ａを電動駆動する。
電磁絞り機構１１は、カメラボディ２から電気接点１９ｂを介して駆動系電源が供給されたとき、レンズ側制御部１６の制御のもと、ステッピングモータ等により絞り羽根１１ａを電動駆動する。
【００２６】
図５は、レリーズ装置３を利用してレリーズ操作が行われたときのタイミングチャートの一例である。図５には最上段から順に、レリーズ接続端子１３から入力されるＳ１信号（Ｓ１入力）、レリーズ接続端子１３から入力されるＳ２信号（Ｓ２入力）、カメラ接続端子１４から出力されるＳ１信号（Ｓ１出力）、カメラ接続端子１４から出力されるＳ２信号（Ｓ２出力）、カメラボディ２の動作状態、電磁絞り機構１１の絞り開口の大きさが図示されている。なお、電磁絞り機構１１の絞り開口は、初期状態では開放状態にあるものとする。また、露出制御はマニュアル露出制御であって、カメラボディ２に対してシャッター秒時を手動で設定する。
【００２７】
時刻Ｔ１には、撮影者がレリーズ装置３のレリーズスイッチ３２に対して半押しレリーズ操作を行う。その操作の結果、時刻Ｔ１にＳ１信号がレリーズ接続端子１３から入力される（Ｓ１入力「入力あり」）。このＳ１信号は伝送部１５を介して遅延なく時刻Ｔ１にカメラ接続端子１４から出力される（Ｓ１出力「出力あり」）。カメラボディ２は、Ｓ１信号を受信すると、時刻Ｔ１から時刻Ｔ２までの間、オートフォーカス動作などを行う。
【００２８】
撮影者は、カメラボディ２によるオートフォーカス動作が終了したことを確認した後、時刻Ｔ３にレリーズスイッチ３２に対して全押しレリーズ操作を行う。その操作の結果、時刻Ｔ３にＳ２信号がレリーズ接続端子１３から入力される（Ｓ２入力「入力あり」）。このＳ２信号は伝送部１５を介して遅延時間Ｄ１だけ遅延した時刻Ｔ５にカメラ接続端子１４から出力される（Ｓ２出力「出力あり」）。
【００２９】
交換レンズ１のレンズ側制御部１６は、Ｓ２信号が入力されると、電磁絞り機構１１を制御して絞り羽根１１ａを電動駆動して絞り開口を絞り設定部材１２を用いて設定された大きさに調整する。電磁絞り機構１１による絞り開口の調整は時刻Ｔ４に終了する。遅延時間Ｄ１は、時刻Ｔ５がこの時刻Ｔ４よりも後になるように設定されている（Ｔ４＜Ｔ５＝Ｔ３＋Ｄ１）。遅延時間Ｄ１は、たとえば、電磁絞り機構１１が絞り羽根１１ａを開放状態から小絞り状態まで駆動させることに要する所要時間ＤＵＬに絞り設定部材１２により設定された絞り開口の大きさと、小絞り状態のときの絞り開口の大きさの比を乗ずることにより設定される。また、遅延時間Ｄ１は、単に電磁絞り機構１１が絞り羽根１１ａを開放状態から小絞り状態まで駆動させることに要する所要時間ＤＵＬに設定してもよい。
【００３０】
時刻Ｔ５においてＳ２信号がカメラ接続端子１４に出力されると、カメラボディ２は、時刻Ｔ６まで露光動作を行う。そして、露光動作が終了した後の時刻Ｔ７に撮影者が全押しレリーズ操作を終了すると、レリーズ接続端子１３からのＳ２信号の入力が無くなる（Ｓ２入力「入力なし」）。そして、時刻Ｔ７から遅延時間Ｄ２だけ遅れた時刻Ｔ８にカメラ接続端子１４からのＳ２信号の出力が終了する（Ｓ２出力「出力なし」）。交換レンズ１のレンズ側制御部１６は、Ｓ２信号の出力が終了した時刻Ｔ８から、電磁絞り機構１１を制御して絞り羽根１１ａを電動駆動して絞り開口を開放状態に戻す。
【００３１】
撮影者は、絞り開口が開放状態に戻った後、時刻Ｔ９にレリーズスイッチ３２による半押しレリーズ操作を終了する。その結果、時刻Ｔ９にレリーズ接続端子１３からのＳ１信号の入力が無くなり（Ｓ１入力「入力なし」）、遅延なく時刻Ｔ９にカメラ接続端子１４へのＳ１信号の出力も無くなる（Ｓ１出力「出力なし」）。
【００３２】
露光動作中に撮影者が誤って全押しレリーズ操作を中断すると、露光動作中に絞り開口が開放状態に戻り、撮影が失敗する虞がある。遅延時間Ｄ２は、撮影者による露光動作中の誤操作を予防するための時間である。なお、交換レンズ１のレンズ側制御部１６の制御により、撮影者による操作に関わらず、露光動作中はカメラ接続端子１４からのＳ２信号の出力を維持することにしてもよい。
【００３３】
本発明の第１の実施の形態による交換レンズ１は、電磁絞りが非対応なカメラボディ２に装着された場合であっても、レリーズ接続端子１３から入力されるＳ２信号の入力に応じて絞り動作を実行することができる。第１の実施の形態では、カメラボディ２、レリーズ装置３、中継ケーブル４には、既存の製品を利用可能である。
【００３４】
（第２の実施の形態）
図６（ａ）および（ｂ）は、本発明の第２の実施の形態によるアクセサリを含むレンズ交換式のデジタルカメラシステムの概略斜視図および概略側面図である。図６に例示されるデジタルカメラシステム２００は、カメラボディ２とレリーズ装置３と中継ケーブル４と交換レンズ５と中間アダプタ６とを有する。カメラボディ２は、電磁絞り機構に対応していないカメラボディであり、第１の実施の形態と同一であるためその説明を省略する。交換レンズ５は、電磁絞り機構１１を備える交換レンズであって、絞り設定部材１２とレリーズ接続端子１３とカメラ接続端子１４とを備えない点が交換レンズ１と異なる。
【００３５】
中間アダプタ６は、交換レンズ５とカメラボディ２との間に挿入可能なアクセサリであって、交換レンズ５とカメラボディ２とが着脱可能に装着される。図６（ａ）および（ｂ）は、中間アダプタ６に交換レンズ５とカメラボディ２とが装着された状態を示している。
【００３６】
図６（ａ）および（ｂ）に示されるように中間アダプタ６は、前マウント部６０と後マウント部６１と絞り設定部材６２とレリーズ接続端子６３とカメラ接続端子６４とを備える。
【００３７】
前マウント部６０には、交換レンズ５のマウント部５１が着脱可能に装着される。後マウント部６１には、カメラボディ２またはカメラボディ１００１のマウント部２３が着脱可能に装着される。前マウント部６０の近傍には、電気接点６８ｂ，６９ｂなどの複数の電気接点を有する。電気接点６８ｂは、交換レンズ５の電気接点５８に接続される。電気接点６９ｂは、交換レンズ５の電気接点５９に接続される。
後マウント部６１の近傍には、電気接点６８ａ，６９ａなどの複数の電気接点を有する。後マウント部６１の近傍には、電気接点６８ａ，６９ａなどの複数の電気接点を有する。電気接点６８ａは、カメラボディ２の電気接点２４ａに接続される。電気接点６９ａは、カメラボディ２の電気接点２４ｂに接続される。
【００３８】
レリーズ接続端子６３には、第１の実施の形態のレリーズ接続端子１３と同様にレリーズ装置３の接続ケーブル３１が接続される。
カメラ接続端子６４には、第１の実施の形態のカメラ接続端子１４と同様に中継ケーブル４が着脱可能に接続される。中継ケーブル４は、このカメラ接続端子６４とカメラボディ２のレリーズ接続端子２１との間に着脱可能に装着される。図６（ａ）および（ｂ）では、レリーズ装置３の接続ケーブル３１がレリーズ接続端子６３に装着され、中継ケーブル４がカメラ接続端子６４とレリーズ接続端子２１との間に挿入されている。
【００３９】
図７は、中間アダプタ６内の電気回路の一部を例示する概略回路図である。図７には、絞り設定部材６２と絞り送信端子６２ａとレリーズ接続端子６３とカメラ接続端子６４と伝送部６５とアダプタ側制御部６６と信号送信端子６７と電気接点６８ａ，６８ｂ，６９ａ，６９ｂとが図示されている。
【００４０】
伝送部６５は、レリーズ接続端子６３から入力された電気信号を、カメラ接続端子６４と信号送信端子６７へ出力する。伝送部６５は、遅延回路６５ａを有する。伝送部６５は、レリーズ接続端子６３から入力された電気信号に対して、その電気信号に応じた遅延時間だけ遅延させてカメラ接続端子６４へ出力することができる。
伝送部６５は、レリーズ接続端子６３からＳ１信号が入力されると、遅延なくＳ１信号をカメラ接続端子６４と信号送信端子６７へ出力する。
伝送部６５は、レリーズ接続端子６３からＳ２信号が入力されると、そのＳ２信号を、遅延なく信号送信端子６７へ出力するとともに、遅延時間Ｄ１だけ遅延させた後にカメラ接続端子６４への出力も開始する。
【００４１】
アダプタ側制御部６６は、不図示のＣＰＵ、ＲＯＭ、ＲＡＭなどを備え、伝送部６５など、中間アダプタ６の各部の制御を行う。レンズ側制御部６６には絞り設定部材６２が接続されており、設定された絞り開口の大きさがレンズ側制御部６６に入力される。レンズ側制御部６６は、入力された絞り開口の大きさを絞り送信端子６２ａへ送信する。
【００４２】
電気接点６８ａには、ロジック系電源が入力される。このロジック系電源は、アダプタ側制御部６６等に供給されるとともに、電気接点６８ｂへ出力される。
電気接点６９ａには、駆動系電源が入力される。この駆動系電源は、電気接点６９ｂへ出力される。
【００４３】
図８は、交換レンズ５内の電気回路の一部を例示する概略回路図である。図８には、電磁絞り機構１１と絞り羽根１１ａとフォーカスレンズ駆動部１７とフォーカスレンズ１７ａと絞り受信端子５２とレンズ側制御部５６と信号受信端子５７と電気接点５８と電気接点５９とが図示されている。図８の電磁絞り機構１１とフォーカスレンズ駆動部１７とは、レンズ側制御部５６に制御されること以外は、第１の実施の形態と同様である。
【００４４】
絞り受信端子５２と信号受信端子５７と電気接点５８と電気接点５９とは、交換レンズ５が中間アダプタ６に装着されたときに中間アダプタ６と電気的に接続される。絞り受信端子５２は、中間アダプタ６の絞り送信端子６２ａと電気的に接続され、中間アダプタ６から電磁絞り機構１１により設定する絞り開口の大きさが入力される。信号受信端子５７は、中間アダプタ６の信号送信端子６７と電気的に接続され、中間アダプタ６からＳ１信号やＳ２信号が入力される。電気接点５８は、中間アダプタ６の電気接点６８ｂと電気的に接続され、ロジック系電源が入力される。電気接点５９は、中間アダプタ６の電気接点６９ｂと電気的に接続され、駆動系電源が入力される。
【００４５】
レンズ側制御部５６は、不図示のＣＰＵ、ＲＯＭ、ＲＡＭなどを備え、電磁絞り機構１１、フォーカスレンズ駆動部１７など、交換レンズ５の各部の制御を行う。レンズ側制御部５６には、電気接点から入力されたロジック系電源が入力される。
図８のフォーカスレンズ駆動部１７および電磁絞り機構１１には、電気接点５９から入力された駆動系電源が入力される。
【００４６】
図９は、レリーズ装置３を利用してレリーズ操作が行われたときのタイミングチャートの一例である。図９には最上段から順に、レリーズ接続端子６３から入力されるＳ１信号（Ｓ１入力）、レリーズ接続端子６３から入力されるＳ２信号（Ｓ２入力）、信号送信端子６７から信号受信端子５７に送信されるＳ１信号（Ｓ１中間）、信号送信端子６７から信号受信端子５７に送信されるＳ２信号（Ｓ２中間）、カメラ接続端子６４から出力されるＳ１信号（Ｓ１出力）、カメラ接続端子６４から出力されるＳ２信号（Ｓ２出力）、カメラボディ２の動作状態、電磁絞り機構１１の絞り開口の大きさが図示されている。図５と同様に電磁絞り機構１１の絞り開口は、初期状態では開放状態にあるものとする。また、露出制御はマニュアル露出制御であって、カメラボディ２に対してシャッター秒時を手動で設定する。
【００４７】
時刻Ｔ１には、撮影者がレリーズ装置３のレリーズスイッチ３２に対して半押しレリーズ操作を行う。その操作の結果、時刻Ｔ１にＳ１信号がレリーズ接続端子６３から入力される（Ｓ１入力「入力あり」）。このＳ１信号は伝送部６５を介して遅延なく（時刻Ｔ１に）信号送信端子６７とカメラ接続端子６４とから出力される（Ｓ１中間「出力あり」およびＳ１出力「出力あり」）。カメラボディ２は、Ｓ１信号を受信すると、時刻Ｔ１から時刻Ｔ２までの間、オートフォーカス動作などを行う。
【００４８】
撮影者は、カメラボディ２によるオートフォーカス動作が終了したことを確認した後、時刻Ｔ３にレリーズスイッチ３２に対して全押しレリーズ操作を行う。その操作の結果、時刻Ｔ３にＳ２信号がレリーズ接続端子６３から入力される（Ｓ２入力「入力あり」）。このＳ２信号は、伝送部６５を介して遅延なく時刻Ｔ３に信号送信端子６７へ出力されるとともに（Ｓ２中間「出力あり」）、遅延時間Ｄ１だけ遅延した時刻Ｔ５にカメラ接続端子６４から出力される（Ｓ２出力「出力あり」）。
【００４９】
交換レンズ５のレンズ側制御部５６は、Ｓ２信号が入力されると、電磁絞り機構１１を制御して絞り羽根１１ａを電動駆動して絞り開口を絞り設定部材６２を用いて設定された大きさに調整する。電磁絞り機構１１による絞り開口の調整は時刻Ｔ４に終了する。遅延時間Ｄ１は、時刻Ｔ５がこの時刻Ｔ４よりも後になるように設定されている（Ｔ４＜Ｔ５＝Ｔ３＋Ｄ１）。遅延時間Ｄ１は、たとえば、電磁絞り機構１１が絞り羽根１１ａを開放状態から小絞り状態まで駆動させることに要する所要時間ＤＵＬに絞り設定部材１２により設定された絞り開口の大きさと、小絞り状態のときの絞り開口の大きさの比を乗ずることにより設定される。また、遅延時間Ｄ１は、単に電磁絞り機構１１が絞り羽根１１ａを開放状態から小絞り状態まで駆動させることに要する所要時間ＤＵＬに設定してもよい。
【００５０】
時刻Ｔ５においてＳ２信号がカメラ接続端子６４に出力されると、カメラボディ２は、時刻Ｔ６まで露光動作を行う。そして、露光動作が終了した後の時刻Ｔ７に撮影者が全押しレリーズ操作を終了すると、レリーズ接続端子６３からのＳ２信号の入力が無くなる（Ｓ２入力「入力なし」）。このとき（時刻Ｔ７）、伝送部６５から信号送信端子６７へ出力するＳ２信号も無くなる（Ｓ２中間「出力なし」）。そして、時刻Ｔ７から遅延時間Ｄ２だけ遅れた時刻Ｔ８にカメラ接続端子６４からのＳ２信号の出力が終了する（Ｓ２出力「出力なし」）。交換レンズ５のレンズ側制御部５６は、Ｓ２信号の出力が終了した時刻Ｔ８から、電磁絞り機構１１を制御して絞り羽根１１ａを電動駆動して絞り開口を開放状態に戻す。
【００５１】
撮影者は、電磁絞り機構１１の絞り開口が開放状態に戻った後、時刻Ｔ９にレリーズスイッチ３２による半押しレリーズ操作を終了する。その結果、時刻Ｔ９にレリーズ接続端子６３からのＳ１信号の入力が無くなり（Ｓ１入力「入力なし」）、遅延なく（時刻Ｔ９に）信号送信端子６７とカメラ接続端子６４へのＳ１信号の出力も無くなる（Ｓ１出力「出力なし」）。
【００５２】
本発明の第２の実施の形態による中間アダプタ６は、電磁絞り機構１１を有する交換レンズ５と電磁絞りに対応していないカメラボディ２との間に挿入されて、レリーズ接続端子６３から入力されるＳ２信号の入力に応じて絞り動作を実行することができる。第２の実施の形態では、カメラボディ２、レリーズ装置３、中継ケーブル４だけでなく、交換レンズ５も既存の製品を利用可能である。
【００５３】
（第３の実施の形態）
図１０は、本発明の第３の実施の形態によるアクセサリを含むレンズ交換式のデジタルカメラシステムの概略斜視図である。図１０に例示されるデジタルカメラシステム３００は、カメラボディ２と交換レンズ７とレリーズ装置８とを有する。カメラボディ２は、電磁絞り機構に対応していないカメラボディであり、第１の実施の形態と同一であるためその説明を省略する。交換レンズ７は、電磁絞り機構１１を備える交換レンズであって、絞り設定部材１２とカメラ接続端子１４とを備えない点のみが交換レンズ１と異なる。
【００５４】
レリーズ装置８は、外部レリーズスイッチ３２とレンズ側接続ケーブル８１とボディ側接続ケーブル８２と絞り設定部材８３とを有する。レンズ側接続ケーブル８１は、交換レンズ７のレリーズ接続端子１３に接続される。ボディ側接続ケーブル８２は、カメラボディ２のレリーズ接続端子２１に接続される。絞り設定部材８３は、交換レンズ７の電磁絞り機構１１の絞り開口の大きさを設定するための操作部材である。絞り開口の大きさの設定値は、レンズ側接続ケーブル８１を介して交換レンズ７へ送信される。
【００５５】
図１１は、レリーズ装置８内の電気回路の位置部を例示する概略回路図である。図１１には、外部レリーズスイッチ３２とレンズ側接続ケーブル８１とボディ側接続ケーブル８２と絞り設定部材８３とレリーズ信号生成部８４と伝送部８５とが図示されている。伝送部８５は遅延回路８５ａを備える。
【００５６】
レリーズ信号生成部８４は、外部レリーズスイッチ３２が半押しレリーズ操作されたときにＳ１信号を生成し、外部レリーズスイッチ３２が全押しレリーズ操作されたときにＳ２信号を生成する。レリーズ信号生成部８４が生成したＳ１信号およびＳ２信号は、伝送部８５に出力される。
【００５７】
伝送部８５は、レリーズ信号生成部８４からＳ１信号およびＳ２信号が入力される。また、絞り設定部材８３から電磁絞り機構１１の絞り開口の大きさの設定値が入力される。伝送部８５は、レンズ側接続ケーブル８１へＳ２信号と絞り開口の大きさの設定値とを遅延なく出力する。伝送部８５は、ボディ側接続ケーブル８２に向けて、Ｓ１信号とＳ２信号を出力する。伝送部８５は、Ｓ２信号をする際は遅延回路８５ａを用いて遅延時間Ｄ１だけ遅延させる。
【００５８】
図１２は、レリーズ装置８を利用してレリーズ操作が行われたときのタイミングチャートの一例である。図１２には最上段から順に、レリーズ信号生成部８４から伝送部８５へ入力されるＳ１信号（Ｓ１入力）、レリーズ信号生成部８４から伝送部８５へ入力されるＳ２信号（Ｓ２入力）、伝送部８５からレンズ側接続ケーブル８１とボディ側接続ケーブル８２に向けて出力するＳ１信号（Ｓ１出力）、伝送部８５からレンズ側接続ケーブル８１に向けて出力するＳ２信号（Ｓ２−８１出力）、伝送部８５からボディ側接続ケーブル８２に向けて出力するＳ２信号（Ｓ２−８２出力）、カメラボディ２の動作状態、電磁絞り機構１１の絞り開口の大きさが図示されている。なお、電磁絞り機構１１の絞り開口は、初期状態では開放状態にあるものとする。また、露出制御はマニュアル露出制御であって、カメラボディ２に対してシャッター秒時を手動で設定する。
【００５９】
時刻Ｔ１には、撮影者がレリーズ装置３のレリーズスイッチ３２に対して半押しレリーズ操作を行う。その操作の結果、時刻Ｔ１にレリーズ信号生成部８４から伝送部８５へＳ１信号が入力される（Ｓ１入力「入力あり」）。このＳ１信号は遅延なく（時刻Ｔ１に）伝送部８５からレンズ側接続ケーブル８１とボディ側接続ケーブル８２に向けて出力される（Ｓ１出力「出力あり」）。カメラボディ２は、Ｓ１信号を受信すると、時刻Ｔ１から時刻Ｔ２までの間、オートフォーカス動作などを行う。
【００６０】
撮影者は、カメラボディ２によるオートフォーカス動作が終了したことを確認した後、時刻Ｔ３にレリーズスイッチ３２に対して全押しレリーズ操作を行う。その操作の結果、時刻Ｔ３にレリーズ信号生成部８４から伝送部８５へＳ２信号が入力される（Ｓ２入力「入力あり」）。このＳ２信号は、遅延なく時刻Ｔ３にレンズ側接続ケーブル８１へ出力され（Ｓ２−８１出力「出力あり」）、遅延時間Ｄ１後の時刻Ｔ５にボディ側接続ケーブル８２へ出力される（Ｓ２−８２出力「出力あり」）。
【００６１】
交換レンズ７は、レンズ側接続ケーブル８１を介してＳ２信号が入力されると、電磁絞り機構１１を制御して絞り羽根１１ａを電動駆動して絞り開口を絞り設定部材８３を用いて設定された大きさに調整する。電磁絞り機構１１による絞り開口の調整は時刻Ｔ４に終了する。遅延時間Ｄ１は、時刻Ｔ５がこの時刻Ｔ４よりも後になるように設定されている（Ｔ４＜Ｔ５＝Ｔ３＋Ｄ１）。遅延時間Ｄ１は、たとえば、電磁絞り機構１１が絞り羽根１１ａを開放状態から小絞り状態まで駆動させることに要する所要時間ＤＵＬに絞り設定部材１２により設定された絞り開口の大きさと、小絞り状態のときの絞り開口の大きさの比を乗ずることにより設定される。また、遅延時間Ｄ１は、単に電磁絞り機構１１が絞り羽根１１ａを開放状態から小絞り状態まで駆動させることに要する所要時間ＤＵＬに設定してもよい。
【００６２】
時刻Ｔ５においてＳ２信号がボディ側接続ケーブル８２へ出力されると、カメラボディ２は、時刻Ｔ６まで露光動作を行う。そして、露光動作が終了した後の時刻Ｔ７に撮影者が全押しレリーズ操作を終了したとき、遅延時間Ｄ２後の時刻Ｔ８にレリーズ信号生成部８４からのＳ２信号の入力が無くなる（Ｓ２入力「入力なし」）。そして、遅延なく時刻Ｔ８にレンズ側接続ケーブル８１とボディ側接続ケーブル８２への出力が無くなる（Ｓ２−８１出力およびＳ２−８２出力「出力なし」）。交換レンズ７は、Ｓ２信号の出力が終了した時刻Ｔ８から、電磁絞り機構１１を制御して絞り羽根１１ａを電動駆動して絞り開口を開放状態に戻す。
【００６３】
撮影者は、絞り開口が開放状態に戻った後、時刻Ｔ９にレリーズスイッチ３２による半押しレリーズ操作を終了する。その結果、時刻Ｔ９に伝送部８５へのＳ１信号の入力が無くなり（Ｓ１入力「入力なし」）、遅延なく時刻Ｔ９にレンズ側接続ケーブル８１とボディ側接続ケーブル８２へのＳ１信号の出力も無くなる（Ｓ１出力「出力なし」）。
【００６４】
本発明の第３の実施の形態によるレリーズ装置８は、電磁絞り機構１１を有する交換レンズ７と電磁絞り機構１１に対応していないカメラボディ２とに接続される。交換レンズ７は、レリーズ装置８から入力されるＳ２信号に応じて絞り動作を実行することができる。第３の実施の形態では、カメラボディ２は、既存の製品を利用可能である。
【００６５】
（第４の実施の形態）
図１３は、本発明の第４の実施の形態によるアクセサリを含むレンズ交換式のデジタルカメラシステムの概略斜視図である。図１３に例示されるデジタルカメラシステム４００は、カメラボディ２とレリーズ装置９と交換レンズ１０とを有する。カメラボディ２は、電磁絞り機構に対応していないカメラボディであり、第１の実施の形態と同一であるためその説明を省略する。
【００６６】
レリーズ装置９は、外部レリーズスイッチ３２の代わりに外部レリーズスイッチ９２を備える点が第１の実施の形態のレリーズ装置３と異なる。外部レリーズスイッチ９２は、半押しレリーズ操作と全押しレリーズ操作とは別の第３のレリーズ操作をさらに受け付ける。
【００６７】
交換レンズ１０は、レリーズ装置９が接続可能な点を除いて第１の実施の形態の交換レンズ１と同様のアクセサリである。交換レンズ１０には、カメラボディ１００１も着脱可能に装着できる。
【００６８】
撮影者が外部レリーズスイッチ９２を半押しレリーズ操作すると、接続ケーブル３１を介してＳ１信号が出力される。
撮影者が外部レリーズスイッチ９２に対して第３のレリーズ操作を行うと、接続ケーブル３１を介してＳ１信号とＳ３信号が出力される。
撮影者が外部レリーズスイッチ９２に対して全押しレリーズ操作すると、接続ケーブル３１を介してＳ１信号とＳ３信号とＳ２信号とが出力される。
【００６９】
このＳ３信号が交換レンズ１０に入力されると、電磁絞り機構１１がその絞り開口の大きさの調整を開始する。Ｓ３信号は、カメラ接続端子１４へは出力されない。
撮影者が全押しレリーズ操作を行う前に第３のレリーズ操作を時間Ｄ３だけ維持してから全押しレリーズ操作を行うと、交換レンズ１０がカメラ接続端子１４へＳ２信号の出力を開始するまでの遅延時間を時間Ｄ３だけ短縮できる。電磁絞り機構１１が絞り開口の大きさの調整に要する時間を時間Ｄ０としたとき、その遅延時間Ｄ４は、以下の式で表される。
Ｄ３≦Ｄ０の場合、Ｄ４＝０
Ｄ３＞Ｄ０の場合、Ｄ４＝Ｄ３−Ｄ０
【００７０】
本発明の第４の実施の形態による交換レンズ１０は、レリーズ装置９から入力されるＳ３信号に応じて絞り動作を実行することができる。
【００７１】
以上で説明した実施の形態によれば、以下の作用効果が得られる。
第１の実施の形態の交換レンズ１は、Ｓ１信号やＳ２信号などのレリーズ信号をカメラボディ２へ出力するためのレリーズ接続端子１３と、それらのレリーズ信号を受信したとき絞り開口を電動で調整する電磁絞り機構１１と、電磁絞り機構１１に対応しているカメラボディ１００１と電磁絞り機構１１に対応していないカメラボディ２とを着脱可能に装着できるマウント部１８と、レリーズ接続端子１３から受信したレリーズ信号を、マウント部１８に取り付けられたカメラボディ２へ中継ケーブル４を介して送信するカメラ接続端子１４とを備えるアクセサリである。
第２の実施の形態の中間アダプタ６は、Ｓ１信号やＳ２信号などのレリーズ信号をカメラボディ２へ出力するためのレリーズ接続端子６３と、それらのレリーズ信号を受信したとき絞り開口を電動で調整する電磁絞り機構１１と、電磁絞り機構１１に対応しているカメラボディ１００１と電磁絞り機構１１に対応していないカメラボディ２とを着脱可能に装着できる後マウント部６１と、レリーズ接続端子６３から受信したレリーズ信号を、後マウント部６１に取り付けられたカメラボディ２へ中継ケーブル４を介して送信するカメラ接続端子６４とを備える。
第３の実施の形態のレリーズ装置８は、レリーズ信号を生成するレリーズ信号生成部８４と、交換レンズ７にレリーズ信号生成部８４が生成したレリーズ信号を送信するレンズ側接続ケーブル８１と、カメラボディ２にレリーズ信号生成部８４が生成したレリーズ信号を送信するボディ側接続ケーブル８２とを備える。
第４の実施の形態の交換レンズ１０は、Ｓ１信号やＳ２信号などのレリーズ信号をカメラボディ２へ出力するためのレリーズ接続端子１３と、それらのレリーズ信号を受信したとき絞り開口を電動で調整する電磁絞り機構１１と、電磁絞り機構１１に対応しているカメラボディ１００１と電磁絞り機構１１に対応していないカメラボディ２とを着脱可能に装着できるマウント部１８と、レリーズ接続端子１３から受信したレリーズ信号を、マウント部１８に取り付けられたカメラボディ２へ中継ケーブル４を介して送信するカメラ接続端子１４とを備えるアクセサリである。
本発明によれば、上記のような構成を有することにより、電磁絞りが非対応なカメラボディ２に電磁絞り機構１１を搭載したアクセサリが装着された場合であっても、アクセサリに絞り動作を実行させられる。
【００７２】
以上で説明した実施の形態は、以下のように変形して実施できる。
（変形例１）第１，第４の実施の形態において、絞り設定部材１２は、交換レンズ１，１０ではなくレリーズ装置３に備えられることにしてもよい。第２の実施の形態において、絞り設定部材６２は、中間アダプタ６ではなく交換レンズ５やレリーズ装置３に備えられることにしてもよい。第３の実施の形態において、絞り設定部材８３は、レリーズ装置８ではなく交換レンズ７に備えられることにしてもよい。
（変形例２）上記の実施の形態では、マニュアル露出により露出制御を行うこととしたが、実絞りＡＥ（絞り優先ＡＥ）を実行することにすればよい。図５等の時刻Ｔ４〜時刻Ｔ５の間にＴＴＬ測光を行い、シャッター時間を決めてもよい。
（変形例３）上記の実施の形態では、電磁絞り機構１１は、絞り設定部材１２，６２，８３等の操作部材により撮影者が設定した大きさに絞り開口を調整した。しかし、図３のように、電磁絞り機構１１に対応したカメラボディ１００１が交換レンズ１に装着された場合、電磁絞り機構１１の絞り開口の大きさは、カメラボディ１００１から送信される絞り設定信号に基づいて調整すればよい。交換レンズ１等のアクセサリは、装着されたカメラボディに基づいて絞り開口の大きさを決定することにしてもよい。
【００７３】
図１４は、交換レンズ１のレンズ側制御部１６により実行される絞り開口の大きさを決定する処理に関するフローチャートである。図１４は、交換レンズ１がカメラボディに装着されて、少なくともロジック系電源が供給されたときにその処理が開始される。
ステップＳ１００では、レンズ側制御部１６は、マウント部１８にカメラボディが装着されたとき、そのカメラボディが電磁絞り機構１１に対応したカメラボディか否かを判定する。たとえば、交換レンズ１とカメラボディとの間の通信プロトコルなどに基づいて、カメラボディを識別して、そのカメラボディが電磁絞り機構１１に対応しているカメラボディか否かを判定する。
ステップＳ１００が肯定判定された場合は、レンズ側制御部１６は、ステップＳ１０１に処理を進め、カメラボディ１００１等から送信される絞り設定信号に基づいて、絞り開口の大きさを決定する。
ステップＳ１００が非体判定された場合は、レンズ側制御部１６は、ステップＳ１０２に処理を進め、絞り設定部材１２の設定に基づいて絞り開口の大きさを決定する。
なお、レンズ側制御部１６は、レリーズ装置３と中継ケーブル４とがカメラボディ２に装着されたときにステップＳ１００を肯定判定することにしてもよい。
【００７４】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００７５】
１，５，７，１０  交換レンズ
２  カメラボディ
３，８，９  レリーズ装置
４  中継ケーブル
６  中間アダプタ
１１  電磁絞り機構
１２，６２，８３  絞り設定部材
１３，２１，６３  レリーズ接続端子
１４，６４  カメラ接続端子
１５，６５，８５  伝送部
１５ａ，６５ａ，８５ａ  遅延回路
１８  マウント部
６０  前マウント部
６１  後マウント部
８１  レンズ側接続ケーブル
８２  ボディ側接続ケーブル
８４  レリーズ信号生成部
【図１】
2013221969.tif 000003
【図２】
2013221969.tif 000004
【図３】
2013221969.tif 000005
【図４】
2013221969.tif 000006
【図５】
2013221969.tif 000007
【図６】
2013221969.tif 000008
【図７】
2013221969.tif 000009
【図８】
2013221969.tif 000010
【図９】
2013221969.tif 000011
【図１０】
2013221969.tif 000012
【図１１】
2013221969.tif 000013
【図１２】
2013221969.tif 000014
【図１３】
2013221969.tif 000015
【図１４】
2013221969.tif 000016